(57)【要約】      （修正有）【課題】街路灯が設置される周辺環境によって、灯器具から照射される照明の角度を調節する街路灯用照明角度調節装置を提供する。【解決手段】街路灯支柱７０、アーム８０及び灯器具９０を含む街路灯に設置され、前記灯器具９０から照射される照明の角度を調節するための装置であって、前記アーム８０の先端部に結合されるアーム結合部１０と、前記アーム結合部１０の先端に結合されるか一体に形成され、前面部に両側に突出した結合突部が形成されるボス結合部２０と、固定ボルトとナットによって前記両側の結合突部の間に結合され、後面にギア歯が形成されるボスと、前記ボスの前面に結合されるか一体に形成され、前記灯器具９０を結合するための灯器具結合部４０と、前記ボス結合部２０に挿入され、前記ボスのギア歯と噛み合って、前記ボスに回転力を伝達するためのウォームギアとを含む。【選択図】図２
0003159652.tif 000002
【実用新案登録請求の範囲】
【請求項１】
街路灯支柱７０、アーム８０及び灯器具９０を含む街路灯に設置され、前記灯器具９０から照射される照明の角度を調節するための装置であって、
前記アーム８０の先端部８１に結合されるアーム結合部１０と；
前記アーム結合部１０の先端に結合されるか一体に形成され、前面部に両側に突出した結合突部２１が形成されるボス結合部２０と；
固定ボルト３３とナット３４によって前記両側の結合突部２１の間に結合され、後面３１にギア歯３２が形成されるボス３０と；
前記ボス３０の前面に結合されるか一体に形成され、前記灯器具９０を結合するための灯器具結合部４０と；
前記ボス結合部２０に挿入され、前記ボス３０のギア歯３２と噛み合って、前記ボス３０に回転力を伝達するためのウォームギア５０とを含むことを特徴とする、街路灯用照明角度調節装置。
【請求項２】
前記アーム結合部１０は、前記アーム８０の先端部８１に嵌合できるように、前記アーム８０の先端部８１の形状と対応する管状に形成され、前記灯器具結合部４０は、前記アーム結合部１０に挿入できるように、前記アーム８０の先端部８１の形状と同じに形成されることを特徴とする、請求項１に記載の街路灯用照明角度調節装置。
【請求項３】
前記アーム結合部１０または前記ボス結合部２０には、前記ウォームギア５０を回転させるための駆動モーターが設置されることを特徴とする、請求項１に記載の街路灯用照明角度調節装置。
【考案の詳細な説明】
【技術分野】
【０００１】
本考案は街路灯用照明角度調節装置に係り、より詳しくはウォームギアを利用して、灯器具から照射される照明の角度を調節するようにした街路灯用照明角度調節装置に関する。
【背景技術】
【０００２】
一般に、街路灯は街路交通の安全と保安のために街路に沿って設置した照明施設をいうもので、高速道路、一般車道、人道、住宅街などのように、設置される場所によってそれに似合う種類のものが使われる。
【０００３】
大部分の街路灯は、図１に示すように、地面に埋設されて垂直に立てられる街路灯支柱７０と、前記街路灯支柱７０の上部に結合されるか、あるいは一体に形成されるアーム８０と、前記アーム８０の先端部に結合される灯器具９０とから構成される。
【０００４】
しかし、このように構成された従来の一般的な街路灯は、設置場所や位置、地盤勾配などの周辺環境によってその照明効果を正常に発揮することができない問題点があった。
【０００５】
これは、街路灯のアーム８０が一定の角度を持つように固定されているため、灯器具９０から照射される照明の角度を調節することができないからである。
【考案の概要】
【考案が解決しようとする課題】
【０００６】
したがって、本考案は街路灯が設置される周辺環境によって灯器具から照射される照明の角度を調節するようにした街路灯用照明角度調節装置を提供することを目的とする。
【課題を解決するための手段】
【０００７】
前記のような目的は、街路灯支柱、アーム及び灯器具を含む街路灯に設置され、前記灯器具から照射される照明の角度を調節するための装置であって、前記アームの先端部に結合されるアーム結合部と；前記アーム結合部の先端に結合されるか一体に形成され、前面部に両側に突出した結合突部が形成されるボス結合部と；固定ボルトとナットによって前記両側の結合突部の間に結合され、後面にギア歯が形成されるボスと；前記ボスの前面に結合されるか一体に形成され、前記灯器具を結合するための灯器具結合部と；前記ボス結合部に挿入され、前記ボスのギア歯と噛み合って、前記ボスに回転力を伝達するためのウォームギアとを含む街路灯用照明角度調節装置によって達成される。
【考案の効果】
【０００８】
前記のような構成によれば、アームと灯器具が成す角度を調節することができるので、街路灯が設置される周辺環境によって灯器具から照射される照明の角度を調節することができる街路灯用照明角度調節装置が提供される。
【図面の簡単な説明】
【０００９】
【図１】従来の一般的な街路灯を示す側面図である。
【図２】本考案の実施例による街路灯用照明角度調節装置が装着された街路灯の側面図である。
【図３】本考案の実施例による街路灯用照明角度調節装置の斜視図である。
【図４】図３の分解斜視図である。
【図５】図４の底面斜視図である。
【図６】本考案の実施例による街路灯用照明角度調節装置の側断面図である。
【図７】本考案の他の実施例による街路灯用照明角度調節装置の側断面図である。
【考案を実施するための形態】
【００１０】
以下、本考案の実施例を添付図面に基づいて詳細に説明する。
【００１１】
図２は本考案の実施例による街路灯用照明角度調節装置が装着された街路灯の側面図、図３は本考案の実施例による街路灯用照明角度調節装置の斜視図、図４は図３の分解斜視図、図５は図４の底面斜視図、図６は本考案の実施例による街路灯用照明角度調節装置の側断面図、図７は本考案の他の実施例による街路灯用照明角度調節装置の側断面図である。
【００１２】
図２〜図６に示すように、本考案の実施例による街路灯用照明角度調節装置１は、アーム結合部１０と、ボス結合部２０と、ボス３０と、灯器具結合部４０と、ウォームギア５０とからなる。
【００１３】
図２に示すように、前記照明角度調節装置１は、地面に堅く埋設されて垂直に立てられる街路灯支柱７０と、前記街路灯支柱７０の上部に結合されるかあるいは一体に形成されるアーム８０と、前記アーム８０の先端部８１に結合される灯器具９０とからなる一般的な街路灯に設置される。具体的に、前記アーム８０と前記灯器具９０の間に装着されて、前記アーム８０と前記灯器具９０が成す角度を調節することになる。
【００１４】
ここで、前記アーム８０の先端部８１には前記アーム結合部１０が結合される。前記アーム結合部１０は前記アーム８０の先端部８１の内面形状に対応する管状を有し、前記アーム８０の先端部８１に嵌合されて固定される。図５に示すように、前記アーム結合部１０の外面には長手方向に沿って突出したボルト締結面１１が形成され、ボルトＢの締結によって前記アーム結合部１０が前記アーム８０の先端部８１に固定される。しかし、これは前記アーム８０と前記アーム結合部１０を結合するための一例を示すものであるばかり、必要によって、前記アーム８０と前記アーム結合部１０を貫くホールを形成し、ピンやボルトで結合するか、あるいは前記アーム８０の外面と前記アーム結合部１０の後端を熔接で結合するなどの多様な実施例が適用可能である。
【００１５】
また、前記アーム結合部１０の先端には前記ボス結合部２０が結合される。前記ボス結合部２０は前記アーム結合部１０と一体に形成されるかあるいは熔接で結合される。前記ボス結合部２０の前面部には半円形の結合突部２１が両側に突設され、前記両側の結合突部２１の間の内面には湾曲面２２が形成される。また、前記ボス結合部２０の内部には前記湾曲面２２の中央部が貫通して前記アーム結合部１０の内部とともに中空部２３が形成され、前記中空部２３の一側には前記湾曲面２２の一部分が凹んで、後述のウォームギア５０が挿入される装着孔２４が形成される。
【００１６】
前記ボス３０は固定ボルト３３とナット３４によって前記両側の結合突部２１の間に回動可能に結合される。前記ボス３０は円筒状のもので、後面３１の中央部が開放してその平断面が“コ”字形に形成され、これにより後面３１が両側に割れて前記湾曲面２２に定着される。また、この際、前記装着孔２４が形成された部分に位置する後面３１には、前記ウォームギア５０と噛み合うギア歯３２が形成される。ここで、前記ボス３０はヒンジ軸によってヒンジ結合されても構わないが、前記結合突部２１との隙間または前記ウォームギア５０と前記ギア歯３２との間に発生するバックラッシュなどによって搖れる現象を防止するために、前記固定ボルト３３とナット３４を用いて前記結合突部２１に密着するようにすることが好ましい。
【００１７】
また、前記ボス３０の前面には前記灯器具結合部４０が結合される。前記灯器具結合部４０は管状を持ち、前記アーム結合部１０と前記ボス結合部２０の場合と同様に、前記ボス３０と一体に形成されるかあるいは熔接で結合される。前記灯器具結合部４０は前記灯器具９０を結合するためのもので、図６に示すように、灯器具９０の内部に挿入して結合でき、または必要によって先端にブラケットを形成して灯器具９０を締結することができる。しかし、前記灯器具結合部４０の形状は前記アーム８０の先端部８１の形状と同一に形成することが一番好ましい。これは、多数の本考案の照明角度調節装置１を保管するか運ぶとき、それぞれの照明角度調節装置１のアーム結合部１０と隣接の灯器具結合部４０を互いに結合してより容易に取り扱えるようにするためである。
【００１８】
前記ウォームギア５０は前述したように前記装着孔２４に挿入され、前記ボス３０に形成されたギア歯３２と噛み合う。前記ウォームギア５０は前記ボス３０に回転力を伝達するためのもので、その一側面または両側面に六角孔５１が形成されることにより、レンチを利用して回転させることができるようになっている。また、前記ボス結合部２０の外面において前記六角孔５１が位置する部分に貫通孔２５を形成して、外部から前記六角孔５１にレンチを挿入することができるようにする。
【００１９】
このように構成された本考案の作用効果を説明すれば次のようである。
【００２０】
本考案の照明角度調節装置１が装着された街路灯が街路に設置されれば、ボス結合部２０に形成された貫通孔２５にレンチを挿入してウォームギア５０を回転させる。これにより、ウォームギア５０と噛み合ったボス３０が固定ボルト３３を基準として回転することになり、よって灯器具結合部４０に結合された灯器具９０が回転することになるので、街路灯が設置される周辺環境によって灯器具９０から照射される照明の角度を調節することができるものである。その後、灯器具９０が所望角度に位置するようにウォームギア５０を回転させた後、ナット３４を締め付けてボス結合部２０とボス３０が密着させて固定すれば灯器具９０の照明角度調節が完了するものである。
【００２１】
また、本考案の照明角度調節装置１の特徴によれば、灯器具結合部４０の形状がアーム８０の先端部８１の形状と同じに形成される。これにより、既に設置された街路灯のアーム８０から灯器具９０を分離した後、前記アーム８０と前記灯器具９０との間に本考案の照明角度調節装置１を装着することができるので、既存の街路灯に手軽く適用して使うことができる。
【００２２】
一方、本考案の他の実施例によれば、図７に示すように、前記ボス結合部２０の内部に駆動モーター６０がさらに設置される。前記駆動モーター６０は、通常地面から比較的高い所に設置される本考案の照明角度調節装置１をスイッチを用いて地上で手軽く駆動させるためのものである。前記駆動モーター６０はギア付きモーターを用いることが好ましいし、図示のように、前記ボス結合部２０の底に固定され、ギア６１を介して前記ウォームギア５０と連結される。しかし、前記駆動モーター６０は必要によって前記アーム結合部１０の内部に設置されることもでき、チェーンまたはベルトのような多様な伝動手段によって前記ウォームギア５０と連結されることができる。
【産業上の利用可能性】
【００２３】
本考案は、高速道路、一般車道、人道、住宅街などに設置される街路灯に適用可能である。
【符号の説明】
【００２４】
１０    アーム結合部
１１    ボルト締結面
２０    ボルト結合部
２１    結合突部
２４    装着孔
２５    貫通孔
３０    ボス
３２    ギア歯
３３    固定ボルト
３４    ナット
４０    灯器具結合部
５０    ウォームギア
５１    六角孔
６０    駆動モーター
６１    ギア
７０    街路灯支柱
８０    アーム
９０    灯器具
【図１】
0003159652.tif 000003
【図２】
0003159652.tif 000004
【図３】
0003159652.tif 000005
【図４】
0003159652.tif 000006
【図５】
0003159652.tif 000007
【図６】
0003159652.tif 000008
【図７】
0003159652.tif 000009